(57)【要約】【課題】  支持体上でポリマーの配列を複数合成するための反応器システムの提供。【解決手段】  支持体上でポリマーの配列を複数合成するための反応器システムであって：ａ）前記支持体に反応流体を接触するための反応器；ｂ）前記反応器に選択された反応流体を送るためのシステム；ｃ）少なくとも第１相対位置から第２相対位置に対してマスク又は支持体を移動するための並進ステージ；ｄ）マスクを通して前記支持体を選択された時間で照射するための光；ｅ）前記反応器システムからの流体の流れを選択的に方向付けし、前記並進段階を選択的に活性化し、そして前記支持体上で複数の多様なポリマー配列を予定された位置で形成するために前記支持体を選択的に照射するための適切にプログラムされたディジタル型コンピューターを含んで成る反応器システム。【選択図】  なし【特許請求の範囲】
【請求項１】
支持体上でポリマーの配列を複数合成するための反応器システムであって：
ａ）前記支持体に反応流体を接触するための反応器；
ｂ）前記反応器に選択された反応流体を送るためのシステム；
ｃ）少なくとも第１相対位置から第２相対位置に対してマスク又は支持体を移
動するための並進ステージ；
ｄ）マスクを通して前記支持体を選択された時間で照射するための光；
ｅ）前記反応器システムからの流体の流れを選択的に方向付けし、前記並進段
階を選択的に活性化し、そして前記支持体上で複数の多様なポリマー配列を予定された位置で形成するために前記支持体を選択的に照射するための適切にプログラムされたディジタル型コンピューターを含んで成る反応器システム。
【発明の詳細な説明】
【技術分野】
【０００１】
【数１】
2005194285.tif 000002
【背景技術】
【０００２】
【数２】
2005194285.tif 000003
【発明の開示】
【課題を解決するための手段】
【０００３】
【数３】
2005194285.tif 000004
【０００４】
【数４】
2005194285.tif 000005
【０００５】
【数５】
2005194285.tif 000006
【０００６】
【数６】
2005194285.tif 000007
【０００７】
【数７】
2005194285.tif 000008
【０００８】
【数８】
2005194285.tif 000009
【０００９】
【数９】
2005194285.tif 000010
【００１０】
【数１０】
2005194285.tif 000011
【００１１】
【数１１】
2005194285.tif 000012
【００１２】
【数１２】
2005194285.tif 000013
【００１３】
【数１３】
2005194285.tif 000014
【００１４】
【数１４】
2005194285.tif 000015
【００１５】
【数１５】
2005194285.tif 000016
【００１６】
【数１６】
2005194285.tif 000017
【００１７】
【数１７】
2005194285.tif 000018
【００１８】
【数１８】
2005194285.tif 000019
【００１９】
【数１９】
2005194285.tif 000020
【００２０】
【数２０】
2005194285.tif 000021
【００２１】
【数２１】
2005194285.tif 000022
【００２２】
【数２２】
2005194285.tif 000023
【００２３】
【数２３】
2005194285.tif 000024
【００２４】
【数２４】
2005194285.tif 000025
【００２５】
【数２５】
2005194285.tif 000026
【００２６】
【数２６】
2005194285.tif 000027
【００２７】
【数２７】
2005194285.tif 000028
【００２８】
【数２８】
2005194285.tif 000029
【００２９】
【数２９】
2005194285.tif 000030
【００３０】
【数３０】
2005194285.tif 000031
【００３１】
【数３１】
2005194285.tif 000032
【００３２】
【数３２】
2005194285.tif 000033
【００３３】
【数３３】
2005194285.tif 000034
【００３４】
【数３４】
2005194285.tif 000035
【００３５】
【数３５】
2005194285.tif 000036
【００３６】
【数３６】
2005194285.tif 000037
【００３７】
【数３７】
2005194285.tif 000038
【００３８】
【数３８】
2005194285.tif 000039
【００３９】
【数３９】
2005194285.tif 000040
【００４０】
【数４０】
2005194285.tif 000041
【００４１】
【数４１】
2005194285.tif 000042
【００４２】
【数４２】
2005194285.tif 000043
【００４３】
【数４３】
2005194285.tif 000044
【００４４】
【数４４】
2005194285.tif 000045
【００４５】
【数４５】
2005194285.tif 000046
【００４６】
【数４６】
2005194285.tif 000047
【００４７】
【数４７】
2005194285.tif 000048
【００４８】
【数４８】
2005194285.tif 000049
【００４９】
【数４９】
2005194285.tif 000050
【００５０】
【数５０】
2005194285.tif 000051
【００５１】
【数５１】
2005194285.tif 000052
【００５２】
【数５２】
2005194285.tif 000053
【００５３】
【数５３】
2005194285.tif 000054
【００５４】
【数５４】
2005194285.tif 000055
【００５５】
【数５５】
2005194285.tif 000056
【００５６】
【数５６】
2005194285.tif 000057
【００５７】
【数５７】
2005194285.tif 000058
【００５８】
【数５８】
2005194285.tif 000059
【００５９】
【数５９】
2005194285.tif 000060
【００６０】
【数６０】
2005194285.tif 000061
【００６１】
【数６１】
2005194285.tif 000062
【００６２】
【数６２】
2005194285.tif 000063
【００６３】
【数６３】
2005194285.tif 000064
【００６４】
【数６３−１】
2005194285.tif 000065
【００６５】
【数６３−２】
2005194285.tif 000066
【００６６】
【数６３−３】
2005194285.tif 000067
【００６７】
【数６３−４】
2005194285.tif 000068
【００６８】
【数６３−５】
2005194285.tif 000069
【００６９】
【数６３−６】
2005194285.tif 000070
【００７０】
【数６３−７】
2005194285.tif 000071
【００７１】
【数６３−８】
2005194285.tif 000072
【００７２】
【数６３−９】
2005194285.tif 000073
【図面の簡単な説明】
【００７３】
【図１】図１は、光統制された空間的にアドレス可能な平行の化学的合成を概略的に示す。
【図２】図２は、光統制されたペプチドの合成の１つの実施例を概略的に示す。
【図３】図３は、多様なポリマーの配列を合成する自動化されたシステムのためのソフトウェアを概略的に示す。
【図４】図４ａおよび図４ｂはポリマーの合成のためのプログラム操作を示す。
【図５−１】図５は、「純粋な」バイナリーマスキング法を概略的に示す。
【図５−２】図５は、「純粋な」バイナリーマスキング法を概略的に示す。
【図６−１】図６は、グレイコードのバイナリマスキング法を概略的に示す。
【図６−２】図６−２は、図６−１のつづきを示す。
【図７−１】変更されたグレイコードのバイナリマスキング法を概略的に示す。
【図７−２】図７−２は、図７−１のつづきを示す。
【図８】図８ａは、４工程の合成のためのマスキング法を概略的に示す。図８ｂは、すべての４００ペプチドの２量体の合成を概略的に示す。
【図９】図９は、１０工程のバイナリー合成のための座標地図である。
【図１０】図１０は、データ収集システムを概略的に示す。
【図１１】図１１は、データ収集システムの構成を示すブロック線図である。
【図１２】図１２は、データ収集／分析システムのためのソフトウェアの操作を示すフローチャートである。
【図１３】光統制されたオリゴヌクレオチドの合成の１つの実施例を概略的に示す。
【００７４】
（配列表）
【００７５】
【数６４】
2005194285.tif 000074
【００７６】
【数６５】
2005194285.tif 000075
【００７７】
【数６６】
2005194285.tif 000076
【００７８】
【数６７】
2005194285.tif 000077
【００７９】
【数６８】
2005194285.tif 000078
【００８０】
【数６９】
2005194285.tif 000079
【００８１】
【数７０】
2005194285.tif 000080
【００８２】
【数７１】
2005194285.tif 000081
【図１】
2005194285.tif 000082
【図２】
2005194285.tif 000083
【図３】
2005194285.tif 000084
【図４】
2005194285.tif 000085
【図５−１】
2005194285.tif 000086
【図５−２】
2005194285.tif 000087
【図６−１】
2005194285.tif 000088
【図６−２】
2005194285.tif 000089
【図７−１】
2005194285.tif 000090
【図７−２】
2005194285.tif 000091
【図８】
2005194285.tif 000092
【図９】
2005194285.tif 000093
【図１０】
2005194285.tif 000094
【図１１】
2005194285.tif 000095
【図１２】
2005194285.tif 000096
【図１３】
2005194285.tif 000097